(57)【特許請求の範囲】
【請求項１】
広域基地局で通信可能な広域エリア内にある狭域エリアで通信可能な狭域基地局を構成する基地局装置において、
前記広域基地局および前記狭域基地局の双方と通信可能な特定の無線通信端末との通信を行う通信部と、
前記特定の無線通信端末が前記広域基地局と通信している際、前記特定の無線通信端末が前記狭域基地局と通信させるように切り替えさせるための切替波を送信する切替波送信部と、
前記広域基地局から出力される前記特定の無線通信端末に関する通信情報に基づいて前記切替波の送信に必要な周波数チャネルおよび監視スロットのタイミングを特定する制御部とを備え、
前記切替波送信部が、前記制御部で特定された周波数チャネルで構成される切替波を前記監視スロットのタイミングに基づいた周期で送信すると共に、該切替波を送信してから一定時間後に前記切替波の送信を停止することを特徴とする基地局装置。
【請求項２】
前記制御部は、前記広域基地局および前記狭域基地局を管理するサーバから取得された前記通信情報に基づいて前記切替波の送信に必要な周波数チャネルおよび監視スロットのタイミングを算出することを特徴とする請求項１に記載の基地局装置。
【請求項３】
前記周期は、前記監視スロットのタイミングの倍数の周期であることを特徴とする請求項１または請求項２に記載の基地局装置。
【請求項４】
前記特定の無線通信端末が前記広域基地局と通信していると前記制御部が検知した場合、前記切替波送信部が、前記制御部で特定された周波数チャネルで構成される切替波の送信を開始し、
前記特定の無線通信端末が前記広域基地局と通信していないと前記制御部が検知した場合、前記切替波送信部が、前記制御部で特定された周波数チャネルで構成される切替波の送信を停止することを特徴とする請求項１から請求項３までの何れかに記載の基地局装置。
【請求項５】
前記特定の無線通信端末が前記狭域基地局で待ち受けを行っていると前記通信部が検知した場合、前記切替波送信部が、前記制御部で特定された周波数チャネルで構成される切替波を送信しないことを特徴とする請求項１に記載の基地局装置。
【発明の詳細な説明】
【技術分野】
【０００１】
本発明は、特定のエリア内で無線通信端末と通信する基地局装置に関する。
【背景技術】
【０００２】
近年、無線通信システムにおいて、フェムトセル（Femtocell）と呼ばれる通信方式が提案されており、フェムトセルは、公衆網のサービスエリアより狭く局所的なサービスエリアで無線通信端末の通信を可能にするものである。
【０００３】
フェムトセルを実現する基地局（以下、フェムトセル基地局という。）が通信可能なサービスエリア（以下、フェムトセルエリアという。）は、基本的に、公衆網の基地局が通信可能なサービスエリア（以下、公衆網エリアという。）内にある。特定の無線通信端末は、公衆網エリアで使用する周波数とフェムトセルエリアで使用する周波数とを切り替えて通信することにより、どちらの基地局とも通信することが可能である。
【０００４】
フェムトセル基地局が個人利用または商業目的で設置された形態においては、上記どちらの基地局とも通信可能な無線通信端末（以下、フェムトセル使用可能端末という。）のみがフェムトセル基地局と通信可能であり、フェムトセルエリア内で特別なサービスを受けることができる。フェムトセル使用可能端末でない無線通信端末は、フェムトセルエリア内においてフェムトセル基地局と通信できず特別なサービスを受けることができない。
【０００５】
通常、フェムトセル使用可能端末は、フェムトセル基地局をスキャンするための周波数、システムの識別のための情報を含むスキャンリストを持っている。そのスキャンリストの例を図９に示す。図９のスキャンリストにおいては、スキャン順序１に登録されている情報（周波数チャネル、システムＩＤ、ネットワークＩＤ）がフェムトセルに関する情報であり、スキャン順序２、３に登録されている情報が公衆網に関する情報である。
【０００６】
無線通信端末の電源投入時、終話時、またはシステムロスト時には、スキャン順序に従って基地局をスキャンし、見つけた基地局と接続する。図９のスキャンリストに従えば、フェムトセル使用可能端末には、最初にスキャン順序１に登録されている情報が設定され、フェムトセル使用可能端末は、フェムトセル基地局を見つけ、システムＩＤ等が登録されているものと一致すれば、そのフェムトセル基地局に接続し、待ち受けを行うことができる。また、フェムトセル基地局が見つからなかった場合、または、システムＩＤ等が登録されているものと一致しない場合、フェムトセル使用可能端末には、スキャン順序２に登録されている情報が設定され、フェムトセル使用可能端末は、公衆網の基地局に接続を試みる。
【０００７】
フェムトセル使用可能端末が、公衆網の基地局と通信しており、フェムトセルエリアに存在する場合、フェムトセル基地局と通信するために、公衆網の基地局からフェムトセル基地局に接続を切り替える従来の方式について以下に説明する。
【０００８】
特許文献１に記載に基づいた従来の無線通信システムを図８に示す。図８に示した無線通信システムは、携帯電話用の公衆網の広域基地局１０、広域基地局１０と通信可能な公衆網エリア３０内に設置されたフェムトセル基地局９、および、公衆網で利用可能な携帯機器である無線通信端末２０ａ、２０ｂ、２０ｃを有している。なお、無線通信端末のそれぞれを区別する場合には、無線通信端末２０ａ、２０ｂ、２０ｃと記載し、無線通信端末のそれぞれを区別しない場合には、無線通信端末２０と記載する。
【０００９】
無線通信端末２０ａ、２０ｂ、２０ｃのうち無線通信端末２０ａは、フェムトセル使用可能端末である。無線通信端末２０ｂ、２０ｃは、フェムトセル基地局９では使用できない端末である。無線通信端末２０ｂ、２０ｃには、公衆網でのみ接続を行うためのスキャンリストが設定されている。
【００１０】
また、フェムトセル基地局９は、フェムトセルエリア３１内で受信できる公衆網の広域基地局１０の電波を検出し、広域基地局１０が使用している周波数と同じ周波数のチャネルに対して妨害波を放射している。また、フェムトセル基地局９は、広域基地局１０が使用していない周波数チャネルでサービスを提供する。
【００１１】
無線通信端末２０ｃは、広域基地局１０のサービスエリア内にあり、フェムトセル基地局９のサービスエリア外である。この場合、無線通信端末２０ｃは、フェムトセル基地局９が放射する妨害波の影響を受けず、広域基地局１０の電波を誤りなく受信できる。
【００１２】
フェムトセル基地局９で使用できる無線通信端末２０ａが、図８に示したように、フェムトセルエリア３１内にいる場合、フェムトセル基地局９からの妨害波により、無線通信端末２０は、公衆網の広域基地局１０からの電波が受信できなくなり、広域基地局１０との通信が不能となる。
【００１３】
無線通信端末２０ａは、図９に示したスキャンリストを有しているため、広域基地局１０との通信が不能となった場合、使用可能なシステムを探索するためにスキャンリストの先頭から周波数チャネルのスキャンを行う。無線通信端末２０ａは、このスキャンの結果、フェムトセル基地局９からの電波を受信し、使用可能なフェムトセル基地局９であることを確認した後、そのまま待ち受けに入る。このように特許文献１に開示された無線通信システムは、フェムトセルエリア内において、フェムトセル使用可能端末を確実に待ち受けるように、基地局との接続を切り換える。
【特許文献１】特許第３８０４８９７号公報
【発明の開示】
【発明が解決しようとする課題】
【００１４】
しかしながら、上述した従来の無線通信システムでは、フェムトセルエリア３１内でフェムトセル基地局９が広域基地局１０と通信させないように妨害波を放射しているため、フェムトセルエリア３１内にいる無線通信端末２０ｂが、広域基地局１０の電波を正しく受信できなくなってしまう恐れがある。さらに、無線通信端末２０ｂは、フェムトセル基地局９で使用できるようには設定されていないため、フェムトセル基地局９で待ち受けを行うことができず、公衆網エリア３０内であるにもかかわらず、通信不能となってしまう。
【００１５】
そこで、本発明は、従来の問題を解決するためになされたもので、広域基地局および狭域基地局の双方と通信可能な特定の無線通信端末が広域基地局と通信している際、この特定の無線通信端末が狭域基地局と通信させるための切替波の送信によって生じる他の無線通信端末に対する不具合を低減させることができる基地局装置を提供することを目的とする。
【課題を解決するための手段】
【００１６】
本発明の基地局装置は、広域基地局で通信可能な広域エリア内にある狭域エリアで通信可能な狭域基地局を構成する基地局装置において、前記広域基地局および前記狭域基地局の双方と通信可能な特定の無線通信端末との通信を行う通信部と、前記特定の無線通信端末が前記広域基地局と通信している際、前記特定の無線通信端末が前記狭域基地局と通信させるように切り替えさせるための切替波を送信する切替波送信部と、前記広域基地局から出力される前記特定の無線通信端末に関する通信情報に基づいて前記切替波の送信に必要な周波数チャネルおよび監視スロットのタイミングを特定する制御部とを備え、前記切替波送信部が、前記制御部で特定された周波数チャネルで構成される切替波を前記監視スロットのタイミングに基づいた周期で送信すると共に、該切替波を送信してから一定時間後に前記切替波の送信を停止する構成を有している。
【００１７】
この構成により、特定の無線通信端末の監視スロットのタイミングに基づいた周期で送信し、切替波を送信してから一定時間後に切替波の送信を停止することで、他の無線通信端末に影響を与える可能性が少なくなるため、切替波の送信によって生じる他の無線通信端末に対する不具合を低減させることができる。
【００１８】
また、本発明の基地局装置は、前記制御部が、前記広域基地局および前記狭域基地局を管理するサーバから取得された前記通信情報に基づいて前記切替波の送信に必要な周波数チャネルおよび監視スロットのタイミングを算出する構成を有している。
【００１９】
従来の基地局装置は、広域基地局が送信している電波を直に受信してその電波の周波数を求めることに対し、本発明の基地局装置は、サーバから取得された通信情報に基づいて切替波の送信に必要な周波数チャネルおよび監視スロットのタイミングを算出するため、他局が使用している電波の周波数を求める従来の方式と比較して、より正確に切替波の周波数チャネルおよび監視スロットのタイミングを特定することができる。
【００２０】
また、本発明の基地局装置は、前記周期が前記監視スロットのタイミングの倍数の周期である構成を有している。
【００２１】
この構成により、切替波の送信周期を監視スロットのタイミングの倍数の周期にすることで切替波の送信間隔を多少空けるため、狭域エリアにいる特定の無線通信端末でない無線通信端末に影響を与えないようにすることができる。
【００２２】
また、本発明の基地局装置は、前記特定の無線通信端末が前記広域基地局と通信していると前記制御部が検知した場合、前記切替波送信部が、前記制御部で特定された周波数チャネルで構成される切替波の送信を開始し、前記特定の無線通信端末が前記広域基地局と通信していないと前記制御部が検知した場合、前記切替波送信部が、前記制御部で特定された周波数チャネルで構成される切替波の送信を停止する構成を有している。
【００２３】
この構成により、特定の無線通信端末が広域エリア内に存在する、すなわち、特定の無線通信端末が広域基地局と通信している場合のみ、切替波を送信するため、基地局装置の消費電力を節約することができる。
【００２４】
また、本発明の基地局装置は、前記特定の無線通信端末が前記狭域基地局で待ち受けを行っていると前記通信部が検知した場合、前記切替波送信部が、前記制御部で特定された周波数チャネルで構成される切替波を送信しない構成を有している。
【００２５】
この構成により、特定の無線通信端末が狭域基地局で待ち受けを行っている場合、切替波を送信しないため、待ち受けしている特定の無線通信端末に対する通信上の不具合を防止することができる。
【発明の効果】
【００２６】
本発明は、広域基地局および狭域基地局の双方と通信可能な特定の無線通信端末が広域基地局と通信している際、この特定の無線通信端末が狭域基地局と通信させるための切替波の送信によって生じる他の無線通信端末に対する不具合を低減させることができる基地局装置を提供するものである。
【発明を実施するための最良の形態】
【００２７】
以下、本発明の実施の形態について、図面を参照して説明する。
【００２８】
図１は、本実施例に係るフェムトセルを用いた通信システムの構成図である。図１に示した通信システムは、ＣＤＭＡ方式を用いた公衆網の広域基地局１０およびフェムトセル基地局１１を備えており、フェムトセル基地局１１は、フェムトセルエリア３１でフェムトセル使用可能端末と通信可能である。フェムトセルエリア３１は、無線通信端末２０が広域基地局１０と通信可能な公衆網エリア３０内にある。
【００２９】
さらに、図１に示した通信システムは、広域基地局１０が接続されるネットワーク６０とインターネット６１とを接続するゲートウェイ４０、および、ＯＡＭ（Operation And Maintenance）サーバ５０を有している。
【００３０】
ＯＡＭサーバ５０は、フェムトセル基地局１１の管理を行うようになっており、広域基地局１０に関する情報も有している。ＯＡＭサーバ５０には、管理対象のフェムトセル基地局１１に関するフェムトセル情報、および、管理対象の広域基地局１０と無線通信端末２０とが使用している周波数チャネルに関する情報や後述する監視スロットに関する情報を含む通信情報が登録されている。
【００３１】
フェムトセル情報は、例えば、システムＩＤ、使用する周波数チャネル、フェムトセル使用可能端末のＩＤなどである。フェムトセル基地局１１は、ＯＡＭサーバ５０に登録されているフェムトセル情報をインターネット６１を介して取得するようになっている。
【００３２】
また、ＯＡＭサーバ５０は、広域基地局１０と通信している無線通信端末２０のＩＤを表す情報を広域基地局１０から受信することで、公衆網エリア３０に存在する無線通信端末２０を検知するようになっている。
【００３３】
無線通信端末２０は、例えば、ＣＤＭＡ方式を用いた携帯端末であり、広域基地局１０と通信可能であり、相手の通信機器と通話やデータ通信を行うことができる。なお、無線通信端末２０のそれぞれを区別する場合には、無線通信端末２０ａ、２０ｂなどと記載し、無線通信端末のそれぞれを区別しない場合には、無線通信端末２０と記載する。
【００３４】
無線通信端末２０ａは、フェムトセル使用可能端末であり、無線通信端末２０ａのＩＤは、ＯＡＭサーバ５０が管理するフェムトセル情報に設定されている。無線通信端末２０ｂ、および、図６に記載の無線通信端末２０ｃは、フェムトセル基地局１１で使用できない端末である。
【００３５】
無線通信端末２０ａは、フェムトセル基地局１１をスキャンするための周波数チャネル、システムの識別のための情報を含むスキャンリストを持っている。スキャンリストの例を図９に示す。図９のスキャンリストにおいては、スキャン順序１に登録されている情報がフェムトセルに関する情報であり、スキャン順序２、３に登録されている情報が公衆網に関する情報である。無線通信端末２０ｂ、２０ｃには、公衆網のみで接続を行うためのスキャンリストが設定されている。
【００３６】
図２は、ＣＤＭＡ方式を用いた基地局が無線通信端末に送信するページングチャネルの構成図であり、ＣＤＭＡ方式での待ち受け中の動作を説明するための図である。
【００３７】
ＣＤＭＡ方式を用いた基地局は、ページングチャネルを８０ｍｓのスロットという単位に分割して無線通信端末２０に送信している。待ち受け中の各無線通信端末２０は、端末固有の識別番号に基づいて所定時間（図２では、１．２８×２＾ｎ秒間）周期の監視スロットのタイミングを決定するようになっている。例えば、図２に示した監視スロット２００と監視スロット２０１は、無線通信端末２０ａ、２０ｂのページングチャネルの監視スロットを示している。
【００３８】
また、ｎは、スロットサイクルインデックスと呼ばれるパラメータであり、ＣＤＭＡ方式を用いた基地局が指定するものである。例えば、広域基地局１０は、ｎが２とすれば、端末は、５．１２秒周期で自己の監視スロットのページングチャネルを受信する。なお、ｎは２に限定されるものではない。
【００３９】
広域基地局１０は、無線通信端末２０に着信があった場合、その無線通信端末２０に着信を知らせるメッセージや制御を行うためのメッセージをその監視スロットのタイミングで送信する。
【００４０】
また、無線通信端末２０は、監視スロットを受信するために監視スロットの受信前に受信機の電源をＯＮし、ページングチャネルを送信している周波数チャネルで受信ができるようにしている。次に、無線通信端末２０は、監視スロットに自局宛のメッセージが無い場合、受信機の電源をＯＦＦして、次の監視スロットまで電力を消費しないようにしている。このように、無線通信端末２０は、ページングチャネルを受信しない間、受信機能を作動させる電源をＯＦＦすることにより、消費電力を低減している。
【００４１】
図３は、本実施例のフェムトセル基地局を構成する基地局装置のブロック図を示している。図３においてフェムトセル基地局１１は、フェムトセル使用可能端末との通信を行う基地局部１００（通信部）、後述する切替波を送信する切替波送信部１０１、および、切替波の送信を制御する制御部１０２を有している。例えば、これらの部材は、集積回路等によって構成される。
【００４２】
基地局部１００は、アンテナ、ＣＰＵ、ＲＯＭ、ＲＡＭで構成される制御部に加えて、無線通信の送信機および受信機などＣＤＭＡ方式を用いたフェムトセル基地局の機能を実現するものを有している。また、基地局部１００は、通信インタフェースなども有しており、ゲートウェイ４０を介してＯＡＭサーバ５０と通信可能に構成されている。
【００４３】
切替波送信部１０１は、基地局部１００に設置されたアンテナとは異なるアンテナを有し、フェムトセル使用可能端末が広域基地局１０と通信している際、フェムトセル使用可能端末がフェムトセル基地局１１と通信させるように切り替えさせるための切替波を送信するようになっている。
【００４４】
制御部１０２は、フェムトセル使用可能端末が公衆網エリア３０で使用している周波数チャネルおよびフェムトセル使用可能端末の監視スロットのタイミングから、切替波の送信に必要な周波数チャネルおよび切替波の送信タイミングを特定するようになっている。
【００４５】
例えば、制御部１０２は、ＯＡＭサーバ５０から受信した周波数チャネルに関する情報から、フェムトセル使用可能端末に対する切替波の送信に必要な周波数チャネルを算出するようになっている。なお、本実施例では、フェムトセル使用可能端末が公衆網エリア３０で使用している周波数チャネルと、切替波の周波数チャネルとが同じである。
【００４６】
例えば、制御部１０２は、ＯＡＭサーバ５０から受信した監視スロットに関する情報から、フェムトセル使用可能端末の監視スロットのタイミングを算出するようになっている。なお、制御部１０２は、ＯＡＭサーバ５０から受信した情報ではなく、ネットワーク管理者などから設定された情報から切替波の送信に必要な周波数チャネルやフェムトセル使用可能端末の監視スロットのタイミングを算出するようにしてもよい。
【００４７】
ここで、切替波の送信時間について説明する。図４は、切替波を発生させるタイミングについて説明するための図である。時間軸に対して無線通信端末２０がページングチャネルを監視するタイミングと、切替波の送信時間とを示している。
【００４８】
タイミング３００は、フェムトセル使用可能端末が公衆網エリア３０でページングチャネルを監視するタイミングであって、図２で説明した周期と同じ監視スロットのタイミングである。フェムトセル使用可能端末がタイミング３００で監視スロットを受信するため、制御部１０２は、タイミング３００の何れかとほぼ同時に切替波を切替波送信部１０１に送信させる。
【００４９】
送信時間３０１は、切替波の送信開始から送信終了までの時間であり、フェムトセル使用可能端末が広域基地局１０と通信している際、フェムトセル使用可能端末がフェムトセル基地局１１と通信させるように切り替えさせるために必要な時間である。本実施例では、送信時間３０１は、無線通信端末２０が基地局をロストしたと判断させるのに必要な時間である。
【００５０】
ＣＤＭＡ方式では、無線通信端末がページングチャネルの監視中、定義された送信時間Ｔ３０ｍ（例えば３秒）の間、正しいページングチャネルメッセージを受信できないと、ロスト（基地局を見失った）したと判定することが規定されている。ロスト後のフェムトセル使用可能端末は、例えば、図９に示したスキャンリストに従って周波数チャネルのスキャンを行い、フェムトセル基地局１１を見つけた場合、フェムトセル基地局１１と接続を行う。
【００５１】
以上のように、切替波送信部１０１は、タイミング３００でフェムトセル使用可能端末の監視スロットの受信タイミングとほぼ同時に切替波の送信を開始させ、フェムトセル使用可能端末がロストしたと判定できる時間分、例えばＴ３０ｍの時間が経過した時点で切替波の送信を停止する。なお、送信時間Ｔ３０ｍは、可変であり３秒に限定されるものではない。
【００５２】
なお、ＣＤＭＡ方式では、待ち受けに使用する周波数チャネルを複数用意することができ、１つの基地局が複数の待ち受け用の周波数チャネルを使用することもできる。この場合、ＣＤＭＡ方式を用いた端末は、基地局から受信した周波数チャネルリストの中から、監視スロットタイミングの決定と同様に、端末固有の情報から待ち受けるための周波数チャネルを決定し、その周波数チャネルが現在の周波数チャネルと違えば、その周波数チャネルに切り換えて待ち受けを行う。
【００５３】
以上のように図３に示したフェムトセル基地局装置の動作について図面を用いて説明する。図５は、制御部１０２の具体的な制御例を示すフローチャートである。
【００５４】
まず、制御部１０２は、基地局部１００を介してＯＡＭサーバ５０と接続し、ＯＡＭサーバ５０からフェムトセル情報を取得し（ステップＳ１）、フェムトセル情報からフェムトセル使用可能端末が公衆網エリア３０にいることを検知する。本実施例では、制御部１０２は、無線通信端末２０ａが公衆網エリア３０にいる旨の情報を取得する。
【００５５】
次に、制御部１０２は、公衆網の広域基地局１０が使用している周波数チャネルリストや監視スロットのタイミングに関する情報を、基地局部１００を介してＯＡＭサーバ５０から取得する（ステップＳ２）。
【００５６】
次に、制御部１０２は、フェムトセル使用可能端末の情報とＯＡＭサーバ５０から取得した情報に基づいて、切替波の送信に必要な周波数チャネルおよび切替波の送信タイミング、すなわち、フェムトセル使用可能端末が広域基地局１０で待ち受けている周波数チャネルと間欠受信のタイミング（監視スロットのタイミング）を算出する（ステップＳ３）。
【００５７】
次に、制御部１０２は、切替波の発生のタイミングを得るために、基地局部１００が受信している情報などに基づいて公衆網のスロットのタイミングと同期をとる（ステップＳ４）。
【００５８】
次に、制御部１０２は、切替波を監視スロット周期の何周期に一度だすかを制御するカウンタに所定の値を設定する（ステップＳ５）。例えば、１０周期に１度切替波を送信する場合には所定の値が１０に設定され、自己の監視スロットの周期が５．１２秒である場合には、５１．２秒程度の周期に１度、切替波が送信されることになる。なお、所定の値は１０に限定されるものではない。このように、切替波の送信間隔を多少空けることで、フェムトセルエリア３１にいるフェムトセル使用可能端末でない無線通信端末２０に影響を与えないようにする。
【００５９】
所定の値には、フェムトセル使用可能端末でない無線通信端末２０に影響を与えず、フェムトセル使用可能端末がフェムトセル基地局１１との通信に切り替えるような値が設定されるのが好ましい。
【００６０】
次に、制御部１０２は、切替波の送信を開始するタイミング３００、すなわち間欠受信のタイミングになるのを待つ（ステップＳ６）。制御部１０２は、間欠受信のタイミングになったら、カウンタを１つデクリメントし（ステップＳ７）、カウンタが０になったかどうかを判定する（ステップＳ８）。カウンタが０でない場合、処理はステップＳ６に戻り、制御部１０２は、次の間欠受信のタイミングになるまで待つ。
【００６１】
カウンタが０であれば切替波が送信されるがその前に、制御部１０２は、基地局部１００に問い合わせするなどしてフェムトセル使用可能端末が既にフェムトセル基地局１１で待ち受けているかどうかを判定する（ステップＳ９）。既にフェムトセル基地局１１で待ち受けていれば、処理はステップＳ５に戻る。
【００６２】
ステップＳ９でフェムトセル使用可能端末がフェムトセル基地局１１で待ち受けていなければ、制御部１０２は、ステップＳ３で算出されたフェムトセル使用可能端末が待ち受けている周波数チャネルに対して切替波の送信を切替波送信部１０１に開始させる（ステップＳ１０）。このとき、制御部１０２は、切替波を停止するためのタイマーをスタートする（ステップＳ１１）。ここでは、タイマーは例えばＴ３０ｍの値に設定される。
【００６３】
制御部１０２は、タイマーがタイムアウトしたか否かを判定し（ステップＳ１２）、タイマーがタイムアウトした場合、切替波の送信を切替波送信部１０１に停止させる（ステップＳ１３）。その後、処理はＳ５に戻る。
【００６４】
以上説明したように、本実施例のフェムトセル基地局装置は、フェムトセル使用可能端末（本実施例では無線通信端末２０ａ）の監視スロットのタイミングに基づいた周期で切替波を送信し、切替波を送信してから一定時間後に切替波の送信を停止することで、フェムトセルエリア３１内にいる他の無線通信端末（本実施例では無線通信端末２０ｂ）に影響を与える可能性が少なくなるため、切替波の送信によって生じる他の無線通信端末に対する不具合を低減させることができる。
【００６５】
また、図６に示すように、無線通信端末２０ｂ、２０ｃは、フェムトセル基地局１１で使用できない端末であって、フェムトセル基地局１１が含まれる公衆網エリア３０内に、フェムトセル使用可能端末が存在しない場合も考えられる。この場合、フェムトセル基地局１１は、切替波だけでなく、通常の基地局の動作として必要な、パイロット信号、同期チャネル、ページングチャネル等も出力する必要がなく、電波の送信を止めて、パワーセーブモードに移行してもよい。
【００６６】
パワーセーブモードに移行したフェムトセル基地局１１は、公衆網エリア３０内にフェムトセル使用可能端末が存在するか否かを定期的にＯＡＭサーバ５０に問い合わせる。
【００６７】
図７に示すように、公衆網エリア３０内にフェムトセル使用可能端末である無線通信端末２０ａが入ってきたとき、フェムトセル基地局１１の制御部１０２は、公衆網エリア３０内にフェムトセル使用可能端末が存在する旨の応答をＯＡＭサーバ５０から受けた場合、パワーセーブモードを解除し、通常の基地局としての機能を開始すると共に、図５のフローチャートで説明した動作を開始する。
【００６８】
また、フェムトセル基地局１１は、定期的なＯＡＭサーバ５０への問い合わせで、公衆網エリア３０内にフェムトセル使用可能端末が存在しない旨の応答をＯＡＭサーバ５０から受けた場合、再びパワーセーブモードに移行すると共に、切替波発生を停止する。
【００６９】
なお、本実施例では、フェムトセル基地局１１における基地局部１００、切替波送信部１０１、および制御部１０２を図示したが、制御部１０２は、基地局部１００の制御部内で実現してもかまわないし、切替波送信部１０１は、基地局部１００の送信機を時分割して使用してもかまわない。
【００７０】
また、フェムトセル基地局１１は、本実施例では、フェムトセル使用可能端末に対して切替波の送信を制御するように説明しているが、複数のフェムトセル使用可能端末に対して切替波の送信を制御するようにしてもよい。
【産業上の利用可能性】
【００７１】
本発明にかかる基地局装置は、広域基地局および狭域基地局の双方と通信可能な特定の無線通信端末が広域基地局と通信している際、この無線通信端末が狭域基地局と通信させるための切替波の送信によって生じる他の無線通信端末に対する不具合を低減させることができ、無線装置として幅広く有用である。
【図面の簡単な説明】
【００７２】
【図１】本実施例に係るフェムトセルを用いた通信システムの構成図である。
【図２】ＣＤＭＡ方式の基地局が無線通信端末に送信するページングチャネルの構成図である。
【図３】本実施例のフェムトセル基地局を構成する基地局装置のブロック図である。
【図４】切替波を発生させるタイミングを説明するための図である。
【図５】本実施例の制御部の具体的な制御例を示すフローチャートである。
【図６】公衆網エリア内にフェムトセル使用可能端末が存在しない場合の通信システムの構成図である。
【図７】公衆網エリア内にフェムトセル使用可能端末が存在する場合の通信システムの構成図である。
【図８】従来のフェムトセルを用いた通信システムの構成図である。
【図９】スキャンリストの例を示す図である。
【符号の説明】
【００７３】
９、１１  フェムトセル基地局
１０  広域基地局
１１  狭域基地局
２０  無線通信端末
３０  公衆網エリア（広域エリア）
３１  フェムトセルエリア（狭域エリア）
４０  ゲートウェイ
５０  ＯＡＭサーバ
６０  ネットワーク
６１  インターネット
１００  基地局部（通信部）
１０１  切替波送信部
１０２  制御部
２００、２０１  監視スロット
３００  タイミング
３０１  送信時間（一定時間）
【図１】
0005094547.tif 000002
【図２】
0005094547.tif 000003
【図３】
0005094547.tif 000004
【図４】
0005094547.tif 000005
【図５】
0005094547.tif 000006
【図６】
0005094547.tif 000007
【図７】
0005094547.tif 000008
【図８】
0005094547.tif 000009
【図９】
0005094547.tif 000010